(57)【要約】【課題】個々のユーザの理由に応じた視聴制限が掛けられる映像音声記録再生装置を提供することである。【解決手段】ＨＤＤ一体型光ディスク装置（映像音声記録再生装置）１０は、ユーザの操作によって入力された１以上のキーワードをメモリ２３に記憶し、キーワードがクローズドキャプション信号に含まれているかを監視し、少なくとも１つのキーワードがクローズドキャプション信号に含まれている場合、このクローズドキャプション信号に対応する映像及び音声とそれ以降の映像及び音声とを出力停止させ、出力停止中にはブルーバックを出力させ、出力停止を所定時間経過後に解除させ、また、記録中のデータのクローズドキャプション信号に少なくとも１つのキーワードが含まれている場合、クローズドキャプション信号に対応する映像にモザイク処理を施して記録させる構成とする。【選択図】図１
2008109313.tif 000002
【特許請求の範囲】
【請求項１】
ＨＤＤ記録再生部及び／又はＤＶＤ記録再生部と、アンテナで受信したテレビ放送信号を復調、デジタル化するチューナと、該チューナから受け取った画像音声データを圧縮符号化したり、前記ＨＤＤ記録再生部又は前記ＤＶＤ記録再生部で再生された圧縮された画像データを伸長復号したりする画像音声圧縮伸長部と、各種設定値を表示装置の一部に表示しながら設定できるようにするＯＳＤ部と、該ＯＳＤ部からの画像信号をアナログ化し、表示装置へ出力する画像出力部と、前記画像音声圧縮伸長部からの音声信号をアナログ化し、表示装置へ出力する音声出力部と、メモリと、各部を制御する制御部とを備えた映像音声記録再生装置において、
前記制御部は、ユーザの操作によって入力された１以上のキーワードを前記メモリに記憶し、該キーワードがクローズドキャプション信号に含まれているかを監視し、少なくとも１つのキーワードが前記クローズドキャプション信号に含まれている場合、このクローズドキャプション信号に対応する映像及び音声とそれ以降の映像及び音声とを出力停止させ、前記出力停止中にはブルーバックを出力させ、前記出力停止を所定時間経過後に解除させ、また、記録中のデータのクローズドキャプション信号に少なくとも１つの前記キーワードが含まれている場合、前記クローズドキャプション信号に対応する映像にモザイク処理を施して記録させることを特徴とする映像音声記録再生装置。
【請求項２】
クローズドキャプション信号を制御する制御部を備えた映像音声記録再生装置において、
前記制御部は、１以上のキーワードを設定し、該キーワードが前記クローズドキャプション信号に含まれているかを監視し、少なくとも１つのキーワードが前記クローズドキャプション信号に含まれている場合、このクローズドキャプション信号に対応する映像とそれ以降の映像とを出力停止させることを特徴とする映像音声記録再生装置。
【請求項３】
映像とともに音声も出力停止させることを特徴とする請求項２記載の映像音声記録再生装置。
【請求項４】
前記出力停止は、所定時間経過後に解除されることを特徴とする請求項２又は３記載の映像音声記録再生装置。
【請求項５】
前記出力停止は、パスワードの入力により解除されることを特徴とする請求項２又は３記載の映像音声記録再生装置。
【請求項６】
前記出力停止は、電源のオフにより解除されることを特徴とする請求項２又は３記載の映像音声記録再生装置。
【請求項７】
前記キーワードは、ユーザの操作によって入力されたものであることを特徴とする請求項２〜６の何れかに記載の映像音声記録再生装置。
【請求項８】
前記出力停止中には、ブルーバックを出力することを特徴とする請求項２〜７の何れかに記載の映像音声記録再生装置。
【請求項９】
記録中のデータのクローズドキャプション信号に少なくとも１つの前記キーワードが含まれている場合、前記クローズドキャプション信号に対応する映像にモザイク処理を施して記録させることを特徴とする請求項２〜８の何れかに記載の映像音声記録再生装置。
【発明の詳細な説明】
【技術分野】
【０００１】
本発明は、クローズドキャプション信号を制御する制御部を備えた映像音声記録再生装置に関する。
【背景技術】
【０００２】
デジタル放送がはじまり、放送が多チャンネル化することによって、番組の内容も多様化してきている。また、ＤＶＤなどの光ディスクも普及し、そのソフトも多く提供されている。ここで、番組やソフトなどのコンテンツによっては、暴力シーンやアダルト映像が含まれている場合がある。そのため、これら子供に見せたくないシーンに視聴制限を掛けるパレンタルロックがある。これは、年齢制限などが記されたパレンタル情報を信号から読み出すことにより、ユーザがその年齢に該当する場合に視聴を制限している。
【０００３】
そして、パレンタルロックに関しては様々な技術が提案されている。例えば、特許文献１には、放送局から番組に付与されるパレンタル情報とは別に、ユーザが任意に設定／変更できるセルフパレンタル情報を番組ごとに情報記憶部に記憶し、番組視聴要求があった場合には、特定番組の番組情報のパレンタル値とこのセルフパレンタル値とに基づいて視聴制限されている番組であるか否かの判定を行い、許可・不許可の指示を行うデジタル放送受信装置が開示されている。
【０００４】
また例えば、特許文献２には、記録再生装置側に視聴制限機能を掛ける手段を具備し、記録再生装置にて編集時に設定された視聴制限レベルを超えている映像のみミュートをかける録画再生装置付きテレビジョン受信機が開示されている。
【特許文献１】特開２００４−７５１４号公報
【特許文献２】特開２００６−１４０６７８号公報
【発明の開示】
【発明が解決しようとする課題】
【０００５】
上記の特許文献１ではセルフパレンタル情報を用い、特許文献２では視聴制限レベルを用いて視聴制限を行っている。つまり、年齢によって視聴を制限している。しかしながら、ユーザが望む視聴制限の掛け方は年齢制限だけではない。宗教上の理由で視聴したくないシーンや個人的に視聴したくないシーンなど、個々の理由で視聴したくないシーンは異なる。
【０００６】
本発明は、個々のユーザの理由に応じた視聴制限が掛けられる映像音声記録再生装置を提供することを目的とする。
【課題を解決するための手段】
【０００７】
上記目的を達成するために本発明は、クローズドキャプション信号を制御する制御部を備えた映像音声記録再生装置において、
前記制御部は、１以上のキーワードを設定し、該キーワードが前記クローズドキャプション信号に含まれているかを監視し、少なくとも１つのキーワードが前記クローズドキャプション信号に含まれている場合、このクローズドキャプション信号に対応する映像とそれ以降の映像とを出力停止させることを特徴とする。
【０００８】
上記の映像音声記録再生装置において、より厳しく視聴制限を行うためには、映像とともに音声も出力停止させることが望ましい。
【０００９】
また上記の映像音声記録再生装置において、前記出力停止は、例えば、所定時間経過後に解除されるようにしてもよい。
【００１０】
また、前記出力停止は、パスワードの入力により解除されるようにしてもよい。
【００１１】
また、前記出力停止は、電源のオフにより解除されるようにしてもよい。
【００１２】
また、個々のユーザの理由に応じた視聴制限を最大限に行うためには、前記キーワードは、ユーザの操作によって入力されたものであることが望ましい。
【００１３】
また、前記出力停止中には、装置の停止と区別するために、ブルーバックなど何らかの映像を出力することが望ましい。
【００１４】
また、記録中のデータのクローズドキャプション信号に少なくとも１つの前記キーワードが含まれている場合、前記クローズドキャプション信号に対応する映像にモザイク処理を施して記録させることを特徴とする。例えばＤＶＤに記録する場合は、視聴制限の掛かったＤＶＤを作製することができ、このＤＶＤであれば視聴制限機能をもたない装置で再生しても視聴制限の掛かった映像を出力することができる。
【００１５】
本発明を具体化すると、ＨＤＤ記録再生部及び／又はＤＶＤ記録再生部と、アンテナで受信したテレビ放送信号を復調、デジタル化するチューナと、該チューナから受け取った画像音声データを圧縮符号化したり、前記ＨＤＤ記録再生部又は前記ＤＶＤ記録再生部で再生された圧縮された画像データを伸長復号したりする画像音声圧縮伸長部と、各種設定値を表示装置の一部に表示しながら設定できるようにするＯＳＤ部と、該ＯＳＤ部からの画像信号をアナログ化し、表示装置へ出力する画像出力部と、前記画像音声圧縮伸長部からの音声信号をアナログ化し、表示装置へ出力する音声出力部と、メモリと、各部を制御する制御部とを備えた映像音声記録再生装置において、
前記制御部は、ユーザの操作によって入力された１以上のキーワードを前記メモリに記憶し、該キーワードがクローズドキャプション信号に含まれているかを監視し、少なくとも１つのキーワードが前記クローズドキャプション信号に含まれている場合、このクローズドキャプション信号に対応する映像及び音声とそれ以降の映像及び音声とを出力停止させ、前記出力停止中にはブルーバックを出力させ、前記出力停止を所定時間経過後に解除させ、また、記録中のデータのクローズドキャプション信号に少なくとも１つの前記キーワードが含まれている場合、前記クローズドキャプション信号に対応する映像にモザイク処理を施して記録させる構成となる。
【発明の効果】
【００１６】
本発明によれば、ユーザが登録したキーワードがクローズドキャプション信号に含まれている場合、そのシーンに視聴制限を掛けることにより、個々のユーザの理由に応じた視聴制限を掛けることができる。その結果、ユーザの満足度の高い付加価値のある映像音声記録再生装置を提供することができる。
【発明を実施するための最良の形態】
【００１７】
以下、映像音声記録再生装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。またＨＤＤ一体型光ディスク装置１０は、リモコン１３によって操作可能である。以下では、光ディスクとしてＤＶＤを例に説明する。
【００１８】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００１９】
また、制御部２６は、画像信号に含まれるクローズドキャプション信号（以下、ＣＣ信号と記す）を利用して特定のシーンの視聴を制限する制御も行う。ＣＣ信号は、画像データに含まれており、画像音声圧縮伸長部１７によって読み出される。以下、この視聴制限の制御について説明する。
【００２０】
図２は、視聴制限の設定に関するＨＤＤ一体型光ディスク装置１０の動作を示すフローチャートである。まず、テレビ放送の受信やＤＶＤ又はＨＤＤの再生を開始する前や実行中に、リモコン１３が操作されて視聴制限を設定するための画面が呼び出されると、ステップＳ１０において制御部２６は視聴制限設定画面を表示装置１１に表示させる。視聴制限設定画面は予めメモリ２３に記憶されているものとする。視聴制限設定画面では、視聴制限を掛けるためのいくつかのキーワードが選択可能に表示されるようにしてもよいし、ユーザにより任意のキーワードが入力されるようにしてもよい。また、使い勝手を良くする観点からキーワードは複数設定できるようにすることが望ましい。キーワードとしては、視聴制限を掛けたいシーンから連想される単語を選べばよく、例えば暴力シーンに視聴制限を掛けたい場合は、「銃」や「ピストル」を選べばよい。
【００２１】
次にステップＳ１０からステップＳ１１へ進んでキーワードが選択又は入力され決定キー（不図示）が押されたか否かを判別する。ユーザが所望のキーワードをすくなくとも１つ以上設定すれば、ステップＳ１２へ進んでメモリ２３にそれらのキーワードを登録（記憶）する。
【００２２】
次にステップＳ１３へ進んで視聴制限を解除する方法を設定するための画面を表示装置１１に表示させる。視聴制限解除方法設定画面は予めメモリ２３に記憶されているものとする。視聴制限の解除方法としては、例えば、視聴制限の開始から所定時間経過後に自動的に解除されるようにしてもよいし、パスワードの入力により解除されるようにしてもよいし、電源のオフにより解除されるようにしてもよい。またこれらの解除方法のいくつかを組み合わせてもよい。
【００２３】
上記の視聴制限の開始から所定時間経過後に自動的に解除されるという解除方法を採用する場合は、視聴制限解除方法設定画面において、所定時間（例えば１０秒）を選択又は任意に入力できるようにするか、又は製造時に決められた所定時間を用いるようにすればよい。
【００２４】
また上記のパスワードの入力により解除されるという解除方法を採用する場合は、視聴制限解除方法設定画面において、所望のパスワードを登録できるようにすればよい。
【００２５】
また上記の電源のオフにより解除されるという解除方法を採用する場合は、視聴制限解除方法設定画面において、電源オフにより解除するという項目を選択できるようにすればよい。
【００２６】
本実施形態では、所定時間経過後に自動的に解除される解除方法を採用した場合について説明する。ステップＳ１３からステップＳ１４へ進んで、解除方法が決定されたか否かを判別する。ステップＳ１４において所定時間の入力があると、ステップＳ１５へ進んで解除方法、つまり入力された所定時間をメモリ２３に登録する。以上で視聴制限の設定が完了する。なお、視聴制限を有効又は無効にする切り替え機能を付加してもよい。また、キーワードの登録は個々のユーザ名ごとに行えるようにしてもよい。そうすれば、視聴するユーザが替わる度に視聴制限の設定を行わずに済み、使い勝手が向上する。
【００２７】
図２の動作を途中で中止したい場合は、ユーザはキャンセルキー（不図示）を押すことでいつでも中止することができる。また１つ前の画面に戻りたい場合はバックキー（不図示）を押せばよい。
【００２８】
図３は、視聴制限の実行に関するＨＤＤ一体型光ディスク装置１０の動作を示すフローチャートである。図２のようにして視聴制限の設定が行われた後、テレビ放送の受信やＤＶＤ又はＨＤＤの再生が実行されると、映像及び音声の出力を開始するとともに、ステップＳ２０において、登録されたキーワードが受信中又は再生中のＣＣ信号に含まれているかを監視する。これは、バッファ中のＣＣ信号を解析してキーワードと一致する単語があるか否かを判定すればよい。なお、キーワードと完全に一致しなくても類似する単語があればその単語も一致したとみなすようにしてもよい。
【００２９】
ステップＳ２０において少なくとも１つのキーワードがＣＣ信号に含まれている場合、ステップＳ２１へ進んでキーワードが含まれているＣＣ信号に対応する映像及び音声とそれ以降の映像及び音声とを出力停止させる。ＤＶＤ又はＨＤＤを再生している場合は出力は停止させるが再生は続ける。そしてステップＳ２２へ進んで出力停止中はブルーバックを表示装置１１に表示させる。装置の停止と区別するためである。
【００３０】
なお、ステップＳ２１では映像のみを出力停止させてもよい。それだけでも十分に視聴制限の効果が得られるからである。映像のみを出力停止させるか、映像及び音声を出力停止させるかは、ユーザが選択できるようにしてもよい。
【００３１】
また、ステップＳ２２でブルーバックの代わりに、映像にモザイク処理を施して出力したり、その他の映像、例えば、視聴制限中である旨のメッセージなど、視聴制限の効果が得られる映像を出力するようにしてもよい。また、パスワードの入力を解除要件としている場合は、パスワードの入力を促す画面を出力すればよい。
【００３２】
次にステップＳ２２からステップＳ２３へ進んで視聴制限の解除要件を満たしているかを判別する。本実施形態では視聴制限の開始から所定時間経過したか否かを判別する。ステップＳ２３において所定時間経過していればステップＳ２４へ進んで視聴制限を解除する。つまり、解除された時点から通常の映像及び音声を出力する。
【００３３】
また、テレビ放送をＨＤＤ又はＤＶＤに録画する場合やＨＤＤからＤＶＤへダビングする場合や外部装置１２からの入力をＨＤＤ又はＤＶＤに録画する場合に、視聴制限が有効になっていれば、視聴制限を掛けた映像及び音声をＨＤＤ又はＤＶＤに録画するように制御する。例えば、ＨＤＤからＤＶＤへダビング中に、登録したキーワードがＣＣ信号に含まれていれば、そのシーンにモザイク処理を施して記録させる。これにより、視聴制限の掛かったＤＶＤを作製することができ、このＤＶＤであれば視聴制限機能をもたない装置で再生しても視聴制限の掛かった映像を出力することができる。
【産業上の利用可能性】
【００３４】
本発明は、ＤＶＤやＨＤＤやＶＣＲなどの映像音声記録再生装置に利用することができ、また、複数の記録再生部を１つの筐体に組み込んだ複合機、例えばＨＤＤ一体型光ディスク装置等にも利用することができる。
【図面の簡単な説明】
【００３５】
【図１】本発明のＨＤＤ一体型光ディスク装置の構成及びその周辺機器を示すブロック図である。
【図２】本発明の視聴制限の設定に関するＨＤＤ一体型光ディスク装置の動作を示すフローチャートである。
【図３】本発明の視聴制限の実行に関するＨＤＤ一体型光ディスク装置の動作を示すフローチャートである。
【符号の説明】
【００３６】
１０    ＨＤＤ一体型光ディスク装置（映像音声記録再生装置）
１１    表示装置
１５    アンテナ
１６    チューナ
１７    画像音声圧縮伸長部
１８    ＨＤＤ記録再生部
１９    ＤＶＤ記録再生部
２０    ＯＳＤ部
２１    画像出力部
２２    音声出力部
２３    メモリ
２６    制御部
【図１】
2008109313.tif 000003
【図２】
2008109313.tif 000004
【図３】
2008109313.tif 000005